(57)【要約】      （修正有）【課題】管体の接続構造について、接続及び接続の解除が容易であって、且つ、接続時に十分な引っ張り強さを有する接続構造を提供する。【解決手段】接続具１０は管体１が挿入される取付口１２を有する略円筒状の本体部１１と、該本体部１１に装着されて管体１と係合する爪部２２を有する略Ｃ字状のリング体２１より構成されている。爪部２２は本体部１１の内側に突出しており、管体と係合可能となっている。又、スイッチ部２４を本体部１１に対して周方向に摺動させるとリング体２１が拡径し、爪部２２は係合の解除が可能な位置まで後退する。【選択図】図１
2015025525.tif 000002
【特許請求の範囲】
【請求項１】
管体が挿入される取付口を有する本体部と、
本体部内部に突出し、挿入された管体と係合する爪部と、
爪部の係合状態を解除するスイッチ部と、
を備え、
前記爪部は弾性を有するリング体の一部に形成され、前記スイッチ部の操作に伴いリング体が拡径若しくは縮径することで係合状態を解除可能であることを特徴とする管体の接続構造。
【請求項２】
前記リング体が、少なくとも一部に切り欠きを有する略Ｃ字形状であることを特徴とする請求項１に記載の管体の接続構造。
【請求項３】
前記スイッチ部が、
本体部に対して周方向に摺動可能であり、
当該摺動によって、前記爪部の拡径若しくは縮径を行うことを特徴とする請求項１又は請求項２に記載の管体の接続構造。
【請求項４】
前記スイッチ部が、
本体部の軸方向に対して平行に押動可能であり、
当該押動によって、前記爪部が拡径若しくは縮径することを特徴とする請求項１又は請求項２に記載の管体の接続構造。
【請求項５】
前記スイッチ部が、
本体部の軸方向に向かって押動可能であり、
当該押動によって、前記爪部が拡径若しくは縮径することを特徴とする請求項１又は請求項２に記載の管体の接続構造。
【発明の詳細な説明】
【技術分野】
【０００１】
本発明は、管体の接続構造に関するものである。
【背景技術】
【０００２】
管体としての排水配管や遠隔操作式排水栓装置の接続構造としては、接着剤を塗布して接続する構造の他、特許文献１に記載のように、パッキンを介してナットを螺合させることで接続する構造が知られている。尚、上記接続構造に係る管体（特に排水配管）は内部に排水が通過するための流路を有することがあるため、接続の際には排水の漏れが生じぬよう、水密に接続されることが求められている。
【０００３】
上記管体の接続について、下流側の管体に詰まりが生じた際や管内の清掃の際等において、管体の接続を解除する場合があるが、接着による接続構造では管体の接続を解除することができない。一方、ナットの螺合を利用した接続構造では、螺合を緩めることで管体の接続を解除することが可能となり、且つ、清掃等の作業が終了した後には再びナットを締め付けることで元の状態（水密に接続された状態）に戻すことができる。しかし、上記締め付け時においては、水密な接続が可能となる適切な位置まで、適切な力で締め付けを行う必要があるが、上記特許文献１に記載の接続構造のように、ナットによる接続構造は主に手締めによって螺合を行う構造となっていることから、作業者によって締め付ける強さにバラつきが生じていた。即ち、作業者によっては締め付けが弱すぎて水密が確保できず、逆に、別の作業者によっては締め付けが強過ぎて部材に割れが発生してしまっていた。
特に、洗面ボウルやシンク等の槽体の排水口と管体との接続を行う場合、作業者は槽体が載置されているキャビネット内で作業を行うが、当該キャビネット内等、作業が困難な場所では作業者はどこまで螺合を行えば良いかが把握し難いことから、上記のような締め付け不良が生じ易くなっていた。
【０００４】
又、管体は内部を通過する排水の温度や設置環境によって、高温／低温下に配置される場合があるが、合成樹脂によって成型されている管体はその温度変化の影響を受けやすく、温度変化に伴う膨張／収縮によって、螺合が緩んでしまう場合がある。
【先行技術文献】
【特許文献】
【０００５】
【特許文献１】特開２０１１−３２６４３号公報
【発明の概要】
【発明が解決しようとする課題】
【０００６】
本発明は上記問題に鑑み、締め付けトルクの管理が不要であり、接続及び接続の解除が容易に行える管体の接続構造を提供することを課題とする。尚、当該接続に関しては、十分な引っ張り強さを有しつつ、一方で、少ない力で接続の解除を行うことが可能な構造の提供を課題とする。
【課題を解決するための手段】
【０００７】
上記課題を解決するための請求項１に記載の本発明は、管体が挿入される取付口を有する本体部と、
本体部内部に突出し、挿入された管体と係合する爪部と、
爪部の係合状態を解除するスイッチ部と、
を備え、
前記爪部は弾性を有するリング体の一部に形成され、前記スイッチ部の操作に伴いリング体が拡径若しくは縮径することで係合状態を解除可能であることを特徴とする管体の接続構造である。
【０００８】
請求項２に記載の本発明は、前記リング体が、少なくとも一部に切り欠きを有する略Ｃ字形状であることを特徴とする請求項１に記載の管体の接続構造である。
【０００９】
請求項３に記載の本発明は、前記スイッチ部が、
本体部に対して周方向に摺動可能であり、
当該摺動によって、前記爪部の拡径若しくは縮径を行うことを特徴とする請求項１又は請求項２に記載の管体の接続構造である。
【００１０】
尚、「周方向に摺動可能」については、本体部が円形形状な場合にのみ適応可能なものではなく、コ字状や多角形形状等、本体部が円形形状に準ずる形状においても適応可能である。
【００１１】
請求項４に記載の本発明は、前記スイッチ部が、
本体部の軸方向に対して平行に押動可能であり、
当該押動によって、前記爪部が拡径若しくは縮径することを特徴とする請求項１又は請求項２に記載の管体の接続構造である。
【００１２】
請求項５に記載の本発明は、前記スイッチ部が、
本体部の軸方向に向かって押動可能であり、
当該押動によって、前記爪部が拡径若しくは縮径することを特徴とする請求項１又は請求項２に記載の管体の接続構造である。
【発明の効果】
【００１３】
請求項１に記載の本発明によれば、リング体の一部に爪部が形成されていることにより、スイッチ部の操作に応じてリング体と爪部が一体となり同時に作動するため、爪部の動作を安定させることが可能となる。又、管体と係合する面積を大きくすることが可能となる。
請求項２に記載の本発明によれば、リング体の形状を略Ｃ字形状とすることによって、リング体が拡径若しくは縮径し易くなる。
請求項３乃至請求項５に記載の本発明によれば、スイッチ部の操作に係る動作を明確にすることができる。
【図面の簡単な説明】
【００１４】
【図１】管体の接続構造を示す斜視図である。
【図２】接続具を示す分解斜視図である。
【図３】本体部を示す側面図である。
【図４】図３のＡ−Ａ断面図である。
【図５】図３のＢ−Ｂ断面図である。
【図６】リング体を示す（ａ）平面図（ｂ）底面図である。
【図７】管体の接続状態を示す断面図である。
【図８】図７のＡ−Ａ断面図である。
【図９】管体の接続が解除された状態を示す断面図である。
【図１０】図９のＡ−Ａ断面図である。
【図１１】第二凹部を設けたリング体を示す断面図である。
【図１２】第二実施形態に係る管体の接続構造を示す斜視図である。
【図１３】接続具を示す分解斜視図である。
【図１４】本体部を示す側面図である。
【図１５】図１４のＡ−Ａ断面図である。
【図１６】リング体を示す（ａ）平面図（ｂ）底面図である。
【図１７】スイッチ部を示す（ａ）平面図（ｂ）（ａ）のＡ−Ａ断面図である。
【図１８】管体の接続状態を示す断面図である。
【図１９】管体の接続が解除された状態を示す断面図である。
【図２０】第三実施形態に係る管体の接続構造を示す斜視図である。
【図２１】接続具を示す分解斜視図である。
【図２２】本体部を示す側面図である。
【図２３】図２２のＡ−Ａ断面図である。
【図２４】リング体を示す（ａ）平面図（ｂ）正面図（ｃ）底面図である。
【図２５】管体の接続状態を示す断面図である。
【図２６】図２５のＡ−Ａ断面図である。
【図２７】管体の接続が解除された状態を示す断面図である。
【図２８】図２７のＡ−Ａ断面図である。
【図２９】その他のリング体を示す平面図である。
【発明を実施するための形態】
【００１５】
以下、図面を参照しながら本発明の管体の接続構造を説明する。尚、以下に記載する説明は実施形態の理解を容易にするためのものであり、これによって発明が制限して理解されるものではない。又、以下の実施形態においては、図１、図１２、図２０に示す状態を基準として上下左右を説明する。
【００１６】
図１乃至図１１に示す本発明の第一実施形態に係る管体の接続構造は、上流側の排水配管である管体１と、下流側の排水配管である管体５、及び接続具１０によって構成されている。
【００１７】
上流側の排水配管である管体１は略円筒状にして、内部に排水が通過可能な流路を備えた排水トラップであって、図示しない槽体の排水口と連結している。尚、管体１は図面において、後述する管体５との接続に係る部分のみを示し、その他の部分の図示を省略している。
上記管体１は溝状の係合部２を備えているとともに、当該係合部２の下端が縮径されており、断面略Ｖ字状であって環状のパッキン３が嵌着されている。尚、上記係合部２は後述する接続具１０に挿入された際において爪部２２と係合する位置に配置される。
パッキン３は本体部１１の内面と当接し、管体１と接続具１０とを水密に接続することができる。
【００１８】
下流側の排水配管である管体５は円筒状にして、内部に排水が通過可能な流路を備えているとともに、可撓性を有する蛇腹形状となっている。又、管体５はその上流側端部において接続具１０と接着されており、当該接続具１０を介して前記管体１と接続されている。
【００１９】
接続具１０は図２に示すように、前記管体１が挿入される取付口１２を有する略円筒状の本体部１１と、該本体部１１に装着されて管体１と係合する爪部２２を有する略Ｃ字状のリング体２１より構成されている。
【００２０】
図２乃至図５に示すように、本体部１１は上流側端部において、前記管体１が挿入される取付口１２を備え、該取付口１２のやや下方において、前記リング体２１が装着されるための装着部１３が形成されている。
装着部１３は図４に示すように、装着部１３の上側にはスリット１４が合計２箇所設けられており、図５に示すように装着部１３の下側には後述するリング体２１の凹部２３と対応する位置において略三角形状の凸部１５が合計４箇所形成されている。
【００２１】
リング体２１は一部が切り欠かれた平面視略Ｃ字形状のリング状部材であって、爪部２２、凹部２３、スイッチ部２４、撓み部２５より構成され、本実施形態においては弾性を有する合成樹脂によって形成されている。
爪部２２は後述するスイッチ部２４及び撓み部２５を挟んで弧状に形成され、リング体２１の外周上方より内側に向けて突出して形成されている。尚、後述するスイッチ部２４側端部は他端（切り欠き側端部）に比べて爪部２２の突出量が少ない。爪部２２の下部は本体部１１の軸方向に対して略垂直に形成されているとともに、上部が中心へ向けて下降するテーパー状となっている。
又、図６に示すように、爪部２２下方であって、リング体２１内周には４箇所の凹部２３が形成されている。凹部２３は徐々に肉厚が薄くなるようにしてテーパーが設けられている。当該凹部２３は前記装着部１３に形成された凸部１５に対応した形状をしており、凸部１５と噛み合った際には、当該凸部１５を完全に覆うことができる。
スイッチ部２４は略三角形状であって、前記爪部２２とは撓み部２５を介して連続している。
撓み部２５はスイッチ部２４に隣接して設けられており、前記爪部２２及びスイッチ部２４よりも薄肉であって、剛性が低く設計されている。
【００２２】
接続具１０の組み立てを行う際には、本体部の装着部１３に対して側方よりリング体２１の切り欠き部分を押しつけることで撓み部２５が変形し、当該変形に伴いリング体２１が拡径することで装着部１３に装着される。
この時、リング体２１の爪部２２はスリット１４を貫通し、本体部１１の内部に突出した状態となる。又、スイッチ部２４（リング体２１）は装着部１３に装着された状態において、本体部１１に対して周方向（図１における左右方向）にのみ摺動可能となっている。
【００２３】
上記接続具１０と管体１との接続には、スイッチ部２４を図１及び図８の位置に配置し、爪部２２が本体部１１の内部に突出した状態のまま、取付口１２より管体１を「カチッ」という音が鳴るまで挿入する。
【００２４】
上記挿入の際には、管体１の挿入が進むにつれて、管体１の端部が爪部２２上部のテーパー部分に当接し、爪部２２を押し広げることでリング体２１を拡径させる。管体１が挿通可能な程にリング体２１が拡径した後、管体１はリング体２１を越えて挿入される。
ここで、係合部２と爪部２２の配置が重なる位置まで管体１が挿入されると、拡径されていたリング体２１は自身の弾性による復元力により縮径し、再び爪部２２が本体部１１の内部へと突出する。この時、「カチッ」という音とともに、爪部２２が係合部２に係合し、図７及び図８に示す接続状態となる。
【００２５】
即ち、本発明の管体の接続構造においては、接続具１０に管体１を挿入するだけで接続が完了する。この時、管体１の下端に嵌着されたパッキン３が本体部１１の内周面に当接し、管体１と接続具１０は水密に接続されている。又、接続具１０と下流側の排水配管である管体５は既に水密に接着されていることから、管体１は管体５とも水密に接続されている。
【００２６】
上記接続が完了した状態において、管体１や接続具１０に対して軸方向に引き抜く力が加わっても、爪部２２の下部が係合部２としっかり係合しており、接続を解除することはできない。
【００２７】
一方で、本発明においては上記接続状態よりスイッチ部２４を操作することによって爪部２２の突出状態を切り替え、接続を解除することができる。尚、当該スイッチ部２４の操作に伴う爪部２２の動作は以下のようになる。
【００２８】
まず、スイッチ部２４が図８に示す位置に配置されている状態において、本体部１１の凸部１５は凹部２３と噛み合い、凹部２３内に収まっている。又、この時、爪部２２はスリット１４を貫通し、本体部１１の内部に大きく突出している。
【００２９】
ここで、スイッチ部２４を本体部１１に対して周方向に摺動させると、リング体２１の移動に伴い、リング体２１の内周面が凸部１５に乗り上げる。この時、当該乗り上げに伴いリング体２１（爪部２２）が外側に付勢される。尚、当該付勢に伴う応力は撓み部２５に集中し、撓み部２５が撓むことによってリング体２１が徐々に拡径する。
そして、スイッチ部２４を図１０に示す位置にまで摺動させた状態においては、リング体２１の内周面は本体部１１の凸部１５に完全に乗り上げた状態となり、図９に示すように、爪部２２は係合の解除が可能な位置まで後退（拡径）する。この状態で接続具１０を下方へと引っ張ると、管体１と管体５の接続を容易に解除することが可能となる。
尚、上記爪部２２が後退した状態より、再びスイッチ部２４を摺動させると、リング体２１は自身の弾性による復元力により前記図７及び図８の状態へと復帰（縮径）する。
【００３０】
即ち、第一実施形態における接続具１０は、スイッチ部２４の配置を目視することでリング体２１の拡径／縮径状態（即ち管体１の接続状態）を確認することが可能となる。又、本体部１１に着色する、「ロック」「解除」等の文字を入れることによって、さらに管体１の接続状態を確認し易くなる。
【００３１】
尚、上記接続の際には、スイッチ部２４を操作し、爪部２２が本体部１１内部に大きく突出した状態での接続を説明したが、爪部２２を後退させた状態で管体１を接続具１０に挿入し、挿入完了後にスイッチ部２４を操作して係合部２に爪部２２を係合させても良い。
【００３２】
上記第一実施形態において、凸部１５と凹部２３はそれぞれ４箇所に設けられていたが、２箇所に設けるなど、設ける数を変更しても良い。又、凸部１５及び凹部２３の位置をスイッチ部２４側へ近付ける、凸部の突出量を増加させる、スイッチ部２４のスライド幅を増加させる、撓み部２５の厚みを増加させる等することによって、スイッチ部２４の操作に係る重さやリング体２１の拡径／縮径の度合いを調整することができるが、これらの調整は使用用途等に合わせて適宜変更可能である。
【００３３】
又、図１１に示すように、リング体２１の拡径時に凸部１５が噛み合うよう、リング体２１に第二凹部２６を設けても良い。
【００３４】
次に、本発明の第二実施形態に係る管体の接続構造を説明する。
図１２乃至図１９に示す本発明の第二実施形態に係る管体の接続構造は、上流側の排水配管である管体１と、下流側の排水配管である管体５、及び接続具１０によって構成されている。
【００３５】
上流側の排水配管である管体１は略円筒状にして、内部に排水が通過可能な流路を備えた排水トラップであって、図示しない槽体の排水口と連結している。尚、管体１は図面において、後述する管体５との接続に係る部分のみを示し、その他の部分の図示を省略している。
上記管体１は溝状の係合部２を備えているとともに、当該係合部２の下端が縮径されており、断面略Ｖ字状であって環状のパッキン３が嵌着されている。尚、上記係合部２は後述する接続具１０に挿入された際において爪部２２と係合する位置に配置される。
パッキン３は本体部１１の内面と当接し、管体１と接続具１０とを水密に接続することができる。
【００３６】
下流側の排水配管である管体５は円筒状にして、内部に排水が通過可能な流路を備えているとともに、可撓性を有する蛇腹形状となっている。又、管体５はその上流側端部において接続具１０と接着されており、当該接続具１０を介して前記管体１と接続されている。
【００３７】
接続具１０は図１３に示すように、前記管体１が挿入される取付口１２を有する略円筒状の本体部１１と、該本体部１１に装着されて管体１と係合する爪部２２を有する略Ｃ字状のリング体２１と、該リング体２１を拡径／縮径させるスイッチ部２４より構成されている。
【００３８】
図１３乃至図１５に示すように、本体部１１は上流側端部において、前記管体１が挿入される取付口１２を備え、該取付口１２のやや下方において、前記リング体２１が装着されるための装着部１３が形成されている。又、本体部１１は上流側端部において外向きに突出するフランジ部１６が形成されている。
装着部１３は上側においてスリット１４が合計２箇所設けられている。
【００３９】
リング体２１は図１６に示すように、一部が切り欠かれた平面視略Ｃ字形状のリング状部材であって、爪部２２、撓み部２５より構成され、本実施形態においては弾性を有する合成樹脂によって形成されている。
爪部２２は後述する撓み部２５を挟んで弧状に形成され、リング体２１の外周上方より内側に向けて突出して形成されている。尚、後述するスイッチ部２４側端部は他端（切り欠き側端部）に比べて爪部２２の突出量が少ない。爪部２２の下部は本体部１１の軸方向に対して略垂直に形成されているとともに、上部が中心へ向けて下降するテーパー状となっている。
撓み部２５は上記爪部２２に挟まれた位置に設けられており、前記爪部２２及びスイッチ部２４よりも薄肉であって、剛性が低く設計されている。
【００４０】
スイッチ部２４は図１７に示すように、平面視略ドーナツ状であって、外縁からは外壁部２７が、内縁からは内壁部２８がそれぞれ垂設されている。
外壁部２７は内側に前記フランジ部１６と係合する爪状の固定部２９を２箇所有している。
内壁部２８は前記外壁部２７よりも下方にまで垂設されているとともに、端部にテーパーが形成されている。又、内壁部２８はその一部において切り欠きが形成されおり、前記本体部１１の一部と切り欠きが合致することでスイッチ部２４が周方向へ回転することを規制する。
【００４１】
接続具１０の組み立てを行う際には、まず、本体部１１の装着部１３に対して側方よりリング体２１の切り欠き部分を押しつけることで撓み部２５が変形し、当該変形に伴いリング体２１が拡径して装着部１３に装着される。
この時、リング体２１の爪部２２はスリット１４を貫通し、本体部１１の内部に突出した状態となる。
次に、本体部１１の上方よりスイッチ部２４を押しつけることで、固定部２９をフランジ部１６に係合させる。
この時、スイッチ部２４は本体部１１に対して軸方向に平行な方向にのみ押動可能となっている。さらに、スイッチ部２４の内壁部２８は爪部２２の直上に配置されており、内壁部２８のテーパーと爪部２２のテーパーが対向している。
【００４２】
上記接続具１０と管体１との接続には、取付口１２より管体１を「カチッ」という音が鳴るまで挿入する。
【００４３】
上記挿入の際には、管体１の挿入が進むにつれて、管体１の端部が爪部２２上部のテーパー部分に当接し、爪部２２を押し広げることでリング体２１を拡径させる。管体１が挿通可能な程にリング体２１が拡径した後、管体１はリング体２１を越えて挿入される。
ここで、係合部２と爪部２２の配置が重なる位置まで管体１が挿入されると、拡径されていたリング体２１は自身の弾性による復元力により縮径し、再び爪部２２が本体部１１の内部へと突出する。この時、「カチッ」という音とともに、爪部２２が係合部２に係合する。（図１８）
【００４４】
即ち、本発明の管体の接続構造においては、接続具１０に管体１を挿入するだけで接続が完了する。この時、管体１の下端に嵌着されたパッキン３が本体部１１の内周面に当接し、管体１と接続具１０は水密に接続されている。又、接続具１０と下流側の排水配管である管体５は既に水密に接着されていることから、管体１は管体５とも水密に接続されている。
【００４５】
上記接続が完了した状態において、管体１や接続具１０に対して軸方向に引き抜く力が加わっても、爪部２２の下部が係合部２としっかり係合しており、接続を解除することはできない。
【００４６】
一方で、本発明においては上記接続状態よりスイッチ部２４を操作することによって爪部２２の突出状態を切り替え、接続を解除することができる。尚、当該スイッチ部２４の操作に伴う爪部２２の動作は以下のようになる。
【００４７】
スイッチ部２４を軸方向に対して平行な方向であって、リング体２１へ向けて押動すると、スイッチ部２４の押動に伴い、内壁部２８下端のテーパーが爪部２２のテーパー（爪部２２上面）に当接する。この時、当該テーパー同士が当接することによりリング体２１（爪部２２）が外側に付勢される。尚、付勢に伴う応力は撓み部２５に集中し、撓み部２５が撓むことによってリング体２１が徐々に拡径する。
そして、スイッチ部２４を図１９に示す位置にまで押動（摺動）する（リング体２１を拡径させる）と、爪部２２は係合の解除が可能な位置まで後退（拡径）する。この状態で接続具１０を下方へと引っ張ると、管体１と管体５の接続を容易に解除することが可能となる。
尚、スイッチ部２４から手を離すなどして押動をやめると、リング体２１は自身の弾性による復元力により前記図１８の状態へと復帰（縮径）する。この時、リング体２１の復帰（縮径）に伴いスイッチ部２４は上方へと押し上げられて操作（押動）前の位置に配置される。
【００４８】
尚、上記接続の際には、スイッチ部２４を操作し、爪部２２が本体部１１内部に大きく突出した状態での接続を説明したが、爪部２２を後退させた状態で管体１を接続具１０に挿入し、挿入完了後にスイッチ部２４を操作して係合部２に爪部２２を係合させても良い。
【００４９】
上記第二実施形態において、スイッチ部２４は平面視円形の環状構造であったが、本体部１１の全周に亘って設けられている必要はなく、平面視略円弧形状であったり、又、その他の形状であったりしても良い。
【００５０】
次に、本発明の第三実施形態に係る管体の接続構造を説明する。
図２０乃至図２８に示す本発明の第三実施形態に係る管体の接続構造は、上流側の排水配管である管体１と、下流側の排水配管である管体５、及び接続具１０によって構成されている。
【００５１】
上流側の排水配管である管体１は略円筒状にして、内部に排水が通過可能な流路を備えた排水トラップであって、図示しない槽体の排水口と連結している。尚、管体１は図面において、後述する管体５との接続に係る部分のみを示し、その他の部分の図示を省略している。
上記管体１は溝状の係合部２を備えているとともに、当該係合部２の下端が縮径されており、断面略Ｖ字状であって環状のパッキン３が嵌着されている。尚、上記係合部２は後述する接続具１０に挿入された際において爪部２２と係合する位置に配置される。
パッキン３は本体部１１の内面と当接し、管体１と接続具１０とを水密に接続することができる。
【００５２】
下流側の排水配管である管体５は円筒状にして、内部に排水が通過可能な流路を備えているとともに、可撓性を有する蛇腹形状となっている。又、管体５はその上流側端部において接続具１０と接着されており、当該接続具１０を介して前記管体１と接続されている。
【００５３】
接続具１０は図２１に示すように、前記管体１が挿入される取付口１２を有する略円筒状の本体部１１と、該本体部１１に装着されて管体１と係合する爪部２２を有する略Ｃ字状のリング体２１より構成されている。
【００５４】
図２２及び図２３に示すように、本体部１１は上流側端部において、前記管体１が挿入される取付口１２を備え、該取付口１２のやや下方において、前記リング体２１が装着されるための装着部１３が形成されている。
装着部１３は上側においてスリット１４が合計２箇所設けられている。
【００５５】
リング体２１は図２４に示すように、一部が切り欠かれた平面視略Ｃ字形状のリング状部材であって、爪部２２、スイッチ部２４、撓み部２５より構成され、本実施形態においては弾性を有する合成樹脂によって形成されている。
爪部２２は後述するスイッチ部２４及び撓み部２５を挟んで弧状に形成され、リング体２１の外周上方より内側に向けて突出して形成されている。尚、後述するスイッチ部２４側端部は他端（切り欠き側端部）に比べて爪部２２の突出量が少ない。爪部２２の下部は本体部１１の軸方向に対して略垂直に形成されているとともに、上部が中心へ向けて下降するテーパー状となっている。
スイッチ部２４は正面視略円形であって、前記爪部２２とは撓み部２５を介して連続している。
撓み部２５はスイッチ部２４の両隣に設けられており、前記爪部２２及びスイッチ部２４よりも薄肉であって、剛性が低く設計されている。
【００５６】
接続具１０の組み立てを行う際には、本体部の装着部１３に対して側方よりリング体２１の切り欠き部分を押しつけることで撓み部２５が変形し、当該変形に伴いリング体２１が拡径して装着部１３に装着される。
この時、リング体２１の爪部２２はスリット１４を貫通し、本体部１１の内部に突出した状態となる。又、スイッチ部２４（リング体２１）は装着部１３に装着された状態において、本体部１１の軸方向に対して垂直な方向にのみ押動可能な状態となる。
【００５７】
上記接続具１０と管体１との接続には、取付口１２より管体１を「カチッ」という音が鳴るまで挿入する。
【００５８】
上記挿入の際には、管体１の挿入が進むにつれて、管体１の端部が爪部２２上部のテーパー部分に当接し、爪部２２を押し広げることでリング体２１を拡径させる。管体１が挿通可能な程にリング体２１が拡径した後、管体１はリング体２１を越えて挿入される。
ここで、係合部２と爪部２２の配置が重なる位置まで管体１が挿入されると、拡径されていたリング体２１は自身の弾性による復元力により縮径し、再び爪部２２が本体部１１の内部へと突出する。この時、「カチッ」という音とともに、爪部２２が係合部２に係合する。
【００５９】
即ち、本発明の管体の接続構造においては、接続具１０に管体１を挿入するだけで接続が完了する。この時、管体１の下端に嵌着されたパッキン３が本体部１１の内周面に当接し、管体１と接続具１０は水密に接続されている。又、接続具１０と下流側の排水配管である管体５は既に水密に接着されていることから、管体１は管体５とも水密に接続されている。
【００６０】
上記接続が完了した状態において、管体１や接続具１０に対して軸方向に引き抜く力が加わっても、爪部２２の下部が係合部２としっかり係合しており、接続を解除することはできない。
【００６１】
一方で、本発明においては上記接続状態よりスイッチ部２４を操作することによって爪部２２の突出状態を切り替え、接続を解除することができる。尚、当該スイッチ部２４の操作に伴う爪部２２の動作は以下のようになる。
【００６２】
スイッチ部２４を本体部１１の軸方向に対して垂直な方向であって、本体部１１の中心へ向けて押動すると、スイッチ部２４の押動に伴い、撓み部２５近傍が本体部１１に強く当接する。この時、当該当接に伴いリング体２１（爪部２２）が外側に付勢される。尚、付勢に伴う応力は撓み部２５に集中し、撓み部２５が撓むことによってリング体２１が徐々に拡径する。
そして、スイッチ部２４を図２８に示す位置にまで押動する（リング体２１を拡径させる）と、爪部２２は係合の解除が可能な位置まで後退（拡径）する。（図２７）この状態で接続具１０を下方へと引っ張ると、管体１と管体５の接続を容易に解除することが可能となる。
尚、スイッチ部２４から手を離すなどして押動をやめると、リング体２１は自身の弾性による復元力により前記図２５及び２６の状態へと復帰（縮径）する。この時、リング体２１の復帰（縮径）に伴いスイッチ部２４は本体部１１の外側へと付勢されて操作（押動）前の位置に配置される。
【００６３】
尚、上記接続の際には、スイッチ部２４を操作し、爪部２２が本体部１１内部に大きく突出した状態での接続を説明したが、爪部２２を後退させた状態で管体１を接続具１０に挿入し、挿入完了後にスイッチ部２４を操作して係合部２に爪部２２を係合させても良い。
【００６４】
上記第三実施形態において、スイッチ部２４は本体部１１の軸方向に対して垂直な方向に向けて押動する構造であったが、軸方向に対して斜めに押動するなどしても良い。即ち、本体部１１の軸方向に対して垂直な成分を含む方向に向けて押動する構造であれば良い。
【００６５】
本発明の実施形態は以上のようであるが、本発明の管体の接続構造は、通常時において、爪部２２は係合部２と係合する径であるが、スイッチ部２４を操作することにより、爪部２２が係合部２と係合しない程度の径となるまで後退（拡径）させることができる。従って、接続の際には管体を挿入するのみの操作で良く、又、接続を解除する際にスイッチ部２４を操作するのみの操作で良い。即ち、槽体下部のキャビネット内等、作業が困難な場所であっても容易に作業を完了させることが可能となる。
【００６６】
又、本発明によればリング体２１に爪部２２が形成されていることから、スイッチ部２４の作動に応じて爪部２２が同時に作動するため、一方（一部）の爪部２２のみ作動する、といった不具合が生じない。又、爪部２２がリング体２１の一部に形成されていることから、管体１の係合部２と係合する面積を大きくすることができ、十分な引っ張り強さを確保している。
【００６７】
又、本発明によれば、爪部２２を含む接続具１０が合成樹脂により形成されているため安価であり、且つ、ナットの螺合を利用した従来の接続構造のように、締め付けトルクの管理を行う必要や温度変化に伴う緩み等が生じる恐れがない。
【００６８】
又、本発明の接続構造は、排水トラップとその下流側の配管との接続にのみ使用されるものではなく、例えば遠隔操作式排水栓装置の接続構造など種々の管体の接続に使用されていても良い。
【００６９】
又、上記各実施形態において、リング体２１は全て平面視略Ｃ字形状の円形であったが、平面視略コ字状等の多角形であっても良い。さらに、リング体２１の拡径／縮径が可能な形状であれば、図２９に示すリング体２１のように、切り欠き部分を無くしても良い。
【符号の説明】
【００７０】
１，５    管体
２        係合部
３        パッキン
１０      接続具
１１      本体部
１２      取付口
１３      装着部
１４      スリット
１５      凸部
１６      フランジ部
２１      リング体
２２      爪部
２３      凹部
２４      スイッチ部
２５      撓み部
２６      第二凹部
２７      外壁部
２８      内壁部
２９      固定部  
【図１】
2015025525.tif 000003
【図２】
2015025525.tif 000004
【図３】
2015025525.tif 000005
【図４】
2015025525.tif 000006
【図５】
2015025525.tif 000007
【図６】
2015025525.tif 000008
【図７】
2015025525.tif 000009
【図８】
2015025525.tif 000010
【図９】
2015025525.tif 000011
【図１０】
2015025525.tif 000012
【図１１】
2015025525.tif 000013
【図１２】
2015025525.tif 000014
【図１３】
2015025525.tif 000015
【図１４】
2015025525.tif 000016
【図１５】
2015025525.tif 000017
【図１６】
2015025525.tif 000018
【図１７】
2015025525.tif 000019
【図１８】
2015025525.tif 000020
【図１９】
2015025525.tif 000021
【図２０】
2015025525.tif 000022
【図２１】
2015025525.tif 000023
【図２２】
2015025525.tif 000024
【図２３】
2015025525.tif 000025
【図２４】
2015025525.tif 000026
【図２５】
2015025525.tif 000027
【図２６】
2015025525.tif 000028
【図２７】
2015025525.tif 000029
【図２８】
2015025525.tif 000030
【図２９】
2015025525.tif 000031